(57)【要約】【課題】ＤＴＳ音声の再生機能又は出力機能を持たない光ディスク再生装置において、ＤＴＳ音声の圧縮データがオーディオデコーダに送られないようにして、音声が出力されない状態になることを防ぐ。【解決手段】最初の再生処理の停止時に、ＤＴＳ音声以外の種類の音声に対応した音声識別情報をＲＡＭに記憶しておいて（Ｓ２）、再生処理の再開時に（Ｓ４）、デマルチプレクサが、光ピックアップにより読み取られた音声の圧縮データの中から、ＲＡＭに記憶された音声識別情報に対応したＤＴＳ音声以外の種類の音声圧縮データを抽出して（Ｓ５乃至Ｓ１２）、オーディオデコーダに送信するようにした。【選択図】      図５
2004220693.tif 000002
【特許請求の範囲】
【請求項１】
光ディスクの記録領域内に記録された映像、音声等の圧縮データを読み取る光ディスクデータ読取手段と、
前記光ディスクデータ読取手段により読み取った圧縮データの種類を識別するための識別情報のテーブルを記憶する記憶手段と、
前記記憶手段に記憶された識別情報に基づいて、前記光ディスクデータ読取手段により読み取られた映像、音声等の圧縮データをデータの種類毎に振り分けるデマルチプレクサと、
前記デマルチプレクサにより振り分けられた映像の圧縮データに基づいて、映像を再生する映像再生手段と、
前記デマルチプレクサにより振り分けられた音声の圧縮データに基づいて、音声を再生する音声再生手段と、
前記映像再生手段により再生された映像、及び前記音声再生手段により再生された音声を出力する出力手段と、
前記光ディスクデータ読取手段、前記記憶手段、前記デマルチプレクサ、前記映像再生手段、前記音声再生手段及び前記出力手段を制御する制御手段とを備え、
前記記憶手段中の識別情報のテーブルに格納されている識別情報には、音声の圧縮データの種類を識別するための音声識別情報が含まれており、
前記音声再生手段は、
前記光ディスクデータ読取手段により読み取られた各種の音声の圧縮データを再生するための各種の音声デコーダを有し、
前記光ディスクデータ読取手段により読み取られた音声の圧縮データに含まれる音声識別情報と、前記記憶手段中の識別情報のテーブルに格納された音声識別情報とを比較して、前記光ディスクデータ読取手段により読み取られた音声の圧縮データの種類を判別し、判別した圧縮データの種類に応じて前記の音声デコーダを選択する光ディスク再生装置において、
前記音声再生手段は、ＤＴＳ（Ｄｉｇｉｔａｌ  Ｔｈｅａｔｅｒ  Ｓｙｓｔｅｍ）音声を再生するためのＤＴＳデコーダを有していないものであって、
前記記憶手段は、再生処理の停止時に、再生していた音声の種類に対応した音声識別情報を記憶し、
前記制御手段は、再生処理の再開時に、前記デマルチプレクサが、前記光ディスクデータ読取手段により読み取られた音声の圧縮データの中から前記記憶手段に記憶された音声識別情報と同じ音声識別情報を持つ音声の圧縮データを抽出して前記音声再生手段に送信するように制御し、
前記音声再生手段にＤＴＳ音声の圧縮データが送信されないようにして、前記出力手段から音声が出力されない状態になることを防ぐようにしたことを特徴とする光ディスク再生装置。
【請求項２】
前記音声識別情報が、ストリームＩＤの全体とサブストリームＩＤの一部からなることを特徴とする請求項１に記載の光ディスク再生装置。
【請求項３】
光ディスクの記録領域内に記録された映像、音声等の圧縮データを読み取る光ディスクデータ読取手段と、
前記光ディスクデータ読取手段により読み取った圧縮データの種類を識別するための識別情報のテーブルを記憶する記憶手段と、
前記記憶手段に記憶された識別情報に基づいて、前記光ディスクデータ読取手段により読み取られた映像、音声等の圧縮データをデータの種類毎に振り分けるデマルチプレクサと、
前記デマルチプレクサにより振り分けられた映像の圧縮データに基づいて、映像を再生する映像再生手段と、
前記デマルチプレクサにより振り分けられた音声の圧縮データに基づいて、音声を再生する音声再生手段と、
前記映像再生手段により再生された映像、及び前記音声再生手段により再生された音声を出力する出力手段と、
前記光ディスクデータ読取手段、前記記憶手段、前記デマルチプレクサ、前記映像再生手段、前記音声再生手段及び前記出力手段を制御する制御手段とを備え、
前記記憶手段中の識別情報のテーブルに格納されている識別情報には、音声の圧縮データの種類を識別するための音声識別情報が含まれており、
前記音声再生手段は、
前記光ディスクデータ読取手段により読み取られた各種の音声の圧縮データを再生するための各種の音声デコーダを有し、
前記光ディスクデータ読取手段により読み取られた音声の圧縮データに含まれる音声識別情報と、前記記憶手段中の識別情報のテーブルに格納された音声識別情報とを比較して、前記光ディスクデータ読取手段により読み取られた音声の圧縮データの種類を判別し、判別した圧縮データの種類に応じて前記の音声デコーダを選択する光ディスク再生装置において、
装置は、ＤＴＳ音声の再生機能又は出力機能を有していないものであって、
前記制御手段は、再生処理の再開時に、前記音声再生手段にＤＴＳ音声の圧縮データが送信されないように制御して、前記出力手段から音声が出力されない状態になることを防ぐようにしたことを特徴とする光ディスク再生装置。
【請求項４】
前記制御手段は、再生処理の再開時に、前記光ディスクデータ読取手段により読み取られた音声の圧縮データの中から、前回の再生時に再生していた音声と同じ種類の音声の圧縮データを抽出して前記音声再生手段に送信するように制御することを特徴とする請求項３に記載の光ディスク再生装置。
【発明の詳細な説明】
【０００１】
【発明の属する技術分野】
本発明は、ＤＶＤ（Ｄｉｇｉｔａｌ  Ｖｅｒｓａｔｉｌｅ  Ｄｉｓｃ）等の光ディスクに記録された映像、音声等の情報を読み取って、これらの情報を再生する光ディスク再生装置に係り、特にＤＴＳ（Ｄｉｇｉｔａｌ  Ｔｈｅａｔｅｒ  Ｓｙｓｔｅｍ）音声の再生機能又は出力機能を持たない光ディスク再生装置に関する。
【０００２】
【従来の技術】
従来より、ＤＶＤ−ＲＯＭ（ＤＶＤ−Ｒｅａｄ  Ｏｎｌｙ  Ｍｅｍｏｒｙ）等の光ディスクにおいて、ＬＰＣＭ（Ｌｉｎｅａｒ  Ｐｕｌｓｅ  Ｃｏｄｅ  Ｍｏｄｕｌａｔｉｏｎ）、ドルビーディジタル、ＭＰＥＧ（Ｍｏｖｉｎｇ  Ｐｉｃｔｕｒｅ  Ｃｏｄｉｎｇ  Ｅｘｐｅｒｔｓ  Ｇｒｏｕｐ）オーディオ、ＤＴＳ等の各種の音声圧縮データを記録した、いわゆる多重オーディオストリームの光ディスクがある。この種の光ディスクにおいて、ＤＴＳ音声を最初のストリームに記録する光ディスクが増加する傾向にある。これに対して、光ディスクに記録された音声等の情報を再生する光ディスク再生装置の中には、音声を再生するオーディオデコーダ内にＤＴＳ音声の再生用のデコーダ（以下、ＤＴＳデコーダという）を有さないものや、ＤＴＳデコーダに関する特許のライセンス料を払っていないためにＤＴＳ音声を出力しないようにしたものがある。このようなＤＴＳ音声の再生機能又は出力機能を持たない光ディスク再生装置では、通常はユーザがＤＴＳ音声の再生を選択できないようになっており、しかも、工場出荷時における初期設定で、電源投入後の最初の再生時にはＤＴＳ音声以外の音声が自動選択されるように設定されている。このため、電源投入後の最初の再生時には、ＤＴＳ音声の圧縮データがオーディオデコーダに送られることはないので、音声の出力端子から音声が出力されない状態になることはない。
【０００３】
また、この種の装置において、初期設定時に優先言語を設定しておいて、光ディスク中に優先言語の音声圧縮データが記録されている場合に、その音声圧縮データに基づいて音声を再生して出力するようにしたものがある。さらにまた、ＭＰＥＧビデオデータに加えて、副映像データや種々のオーディオデータを扱うことができるようにすることを目的として、ストリームＩＤとサブストリームＩＤとを用いて、各種の圧縮データを切り分けるようにしたものが知られている（例えば、特許文献１参照）。また、音声の圧縮信号のＤ／Ａ変換時におけるＳ／Ｎ比を良好にすることを目的にして、音声の圧縮信号を伸張した信号が無音を示す場合にも信号増幅回路をミュート状態に設定するようにして、信号増幅回路からノイズが出力されないようにしたものが知られている（例えば、特許文献２参照）。
【０００４】
また、マルチチャンネル再生機能を有さず、ステレオ２チャンネル再生機能のみを有するオーディオ再生装置の分野において、マルチチャンネル信号のみが記録されており、マルチチャンネル信号をステレオ２チャンネル信号にダウンミックスする係数が記録されていない光ディスクに記録された音声を再生する場合に、音声が何も出力されないという事態が生じることを防ぐために、装置内部のＲＯＭに記録されたダウンミックス係数に基づいて、マルチチャンネル信号をステレオ２チャンネル信号にダウンミックスするようにしたものが知られている（例えば、特許文献３参照）。さらにまた、オーディオ送信装置及びオーディオ受信装置の分野において、伝送するオーディオストリームの種類が変化した場合に受信装置側の再生音で尻切れ、頭切れが発生するのを防止することを目的として、オーディオ送信装置が、送信するオーディオストリームの種類が変化したときに、無音識別子と変化前の識別子情報を含むパケット、及び無音識別子と変化後の識別子情報を含むパケットを所定の時間出力するようにしたものが知られている（例えば、特許文献４参照）。
【０００５】
【特許文献１】
特開平１０−１２５００３号公報（第１−２４頁、図１−４９）
【特許文献２】
特開２０００−２２２８２６号公報（第１−５頁、図１−３）
【特許文献３】
特開２００１−３４４９０６号公報（第１−３頁、図１−２）
【特許文献４】
特開２００１−２５０３１８号公報（第１−３頁、第７−１１頁、図１−５）
【０００６】
【発明が解決しようとする課題】
しかしながら、上記のような従来のＤＴＳ音声の再生機能又は出力機能を持たない光ディスク再生装置では、再生時にＤＴＳ音声以外の音声が自動選択されるように初期設定されてはいるが、ユーザが再生処理を停止すると、この初期設定が解除されてしまうので、ユーザが再生処理を一旦停止した後に、音声の種類を選択しないで再生を再開した場合には、光ディスクの最初のストリームに記録されたＤＴＳ音声の圧縮データがオーディオデコーダに送られて、音声の出力端子から音声が出力されない状態になることがある。また、上記のような優先言語の音声圧縮データを優先的に再生する方法では、上記の問題を解消することはできない。さらにまた、上記特許文献１乃至４に示されるいずれの発明によっても、上記の問題を解決することはできない。
【０００７】
本発明は、上記の問題を解決するためになされたものであり、ＤＴＳ音声の再生機能又は出力機能を持たない光ディスク再生装置において、ＤＴＳ音声の圧縮データがオーディオデコーダに送られないようにして、音声が出力されない状態になることを防ぐことを目的とする。
【０００８】
【課題を解決するための手段】
上記目的を達成するために請求項１の発明は、光ディスクの記録領域内に記録された映像、音声等の圧縮データを読み取る光ディスクデータ読取手段と、光ディスクデータ読取手段により読み取った圧縮データの種類を識別するための識別情報のテーブルを記憶する記憶手段と、記憶手段に記憶された識別情報に基づいて、光ディスクデータ読取手段により読み取られた映像、音声等の圧縮データをデータの種類毎に振り分けるデマルチプレクサと、デマルチプレクサにより振り分けられた映像の圧縮データに基づいて、映像を再生する映像再生手段と、デマルチプレクサにより振り分けられた音声の圧縮データに基づいて、音声を再生する音声再生手段と、映像再生手段により再生された映像、及び音声再生手段により再生された音声を出力する出力手段と、光ディスクデータ読取手段、記憶手段、デマルチプレクサ、映像再生手段、音声再生手段及び出力手段を制御する制御手段とを備え、記憶手段中の識別情報のテーブルに格納されている識別情報には、音声の圧縮データの種類を識別するための音声識別情報が含まれており、音声再生手段は、光ディスクデータ読取手段により読み取られた各種の音声の圧縮データを再生するための各種の音声デコーダを有し、光ディスクデータ読取手段により読み取られた音声の圧縮データに含まれる音声識別情報と、記憶手段中の識別情報のテーブルに格納された音声識別情報とを比較して、光ディスクデータ読取手段により読み取られた音声の圧縮データの種類を判別し、判別した圧縮データの種類に応じて音声デコーダを選択する光ディスク再生装置において、音声再生手段は、ＤＴＳ（Ｄｉｇｉｔａｌ  Ｔｈｅａｔｅｒ  Ｓｙｓｔｅｍ）音声を再生するためのＤＴＳデコーダを有していないものであって、記憶手段は、再生処理の停止時に、再生していた音声の種類に対応した音声識別情報を記憶し、制御手段は、再生処理の再開時に、デマルチプレクサが、光ディスクデータ読取手段により読み取られた音声の圧縮データの中から記憶手段に記憶された音声識別情報と同じ音声識別情報を持つ音声の圧縮データを抽出して音声再生手段に送信するように制御し、音声再生手段にＤＴＳ音声の圧縮データが送信されないようにして、出力手段から音声が出力されない状態になることを防ぐものである。
【０００９】
上記構成においては、ＤＴＳデコーダを有さない光ディスク再生装置では、電源投入後の最初の再生処理においてＤＴＳ音声が再生されることはないので、記憶手段は、最初の再生処理の停止時に、ＤＴＳ音声以外の種類の音声に対応した音声識別情報を記憶する。そして、制御手段は、再生処理の再開時に、デマルチプレクサが、光ディスクデータ読取手段により読み取られた音声の圧縮データの中から、記憶手段に記憶された音声識別情報に対応したＤＴＳ音声以外の種類の音声圧縮データを抽出して音声再生手段に送信するように制御する。これにより、音声再生手段にＤＴＳ音声の圧縮データが送信されないようにすることができるので、出力手段から音声が出力されない状態になることを防ぐことができる。
【００１０】
また、請求項２の発明は、請求項１の発明において、音声識別情報が、ストリームＩＤの全体とサブストリームＩＤの一部からなるものである。この構成においては、再生処理の再開時に、デマルチプレクサが、記憶手段に記憶された音声識別情報に基づいて、光ディスクデータ読取手段により読み取られた音声の圧縮データの中からＤＴＳ音声以外の種類の音声圧縮データを抽出することができるので、上記請求項１に記載の作用を的確に得ることができる。
【００１１】
また、請求項３の発明は、光ディスクの記録領域内に記録された映像、音声等の圧縮データを読み取る光ディスクデータ読取手段と、光ディスクデータ読取手段により読み取った圧縮データの種類を識別するための識別情報のテーブルを記憶する記憶手段と、記憶手段に記憶された識別情報に基づいて、光ディスクデータ読取手段により読み取られた映像、音声等の圧縮データをデータの種類毎に振り分けるデマルチプレクサと、デマルチプレクサにより振り分けられた映像の圧縮データに基づいて、映像を再生する映像再生手段と、デマルチプレクサにより振り分けられた音声の圧縮データに基づいて、音声を再生する音声再生手段と、映像再生手段により再生された映像、及び音声再生手段により再生された音声を出力する出力手段と、光ディスクデータ読取手段、記憶手段、デマルチプレクサ、映像再生手段、音声再生手段及び出力手段を制御する制御手段とを備え、記憶手段中の識別情報のテーブルに格納されている識別情報には、音声の圧縮データの種類を識別するための音声識別情報が含まれており、音声再生手段は、光ディスクデータ読取手段により読み取られた各種の音声の圧縮データを再生するための各種の音声デコーダを有し、光ディスクデータ読取手段により読み取られた音声の圧縮データに含まれる音声識別情報と、記憶手段中の識別情報のテーブルに格納された音声識別情報とを比較して、光ディスクデータ読取手段により読み取られた音声の圧縮データの種類を判別し、判別した圧縮データの種類に応じて音声デコーダを選択する光ディスク再生装置において、装置は、ＤＴＳ音声の再生機能又は出力機能を有していないものであって、制御手段は、再生処理の再開時に、音声再生手段にＤＴＳ音声の圧縮データが送信されないように制御して、出力手段から音声が出力されない状態になることを防ぐようにしたものである。
【００１２】
この構成においては、制御手段が、再生処理の再開時に、音声再生手段にＤＴＳ音声の圧縮データが送信されないように制御するので、出力手段から音声が出力されない状態になることを防ぐことができる。
【００１３】
また、請求項４の発明は、請求項３の発明において、制御手段が、再生処理の再開時に、光ディスクデータ読取手段により読み取られた音声の圧縮データの中から、前回の再生時に再生していた音声と同じ種類の音声の圧縮データを抽出して音声再生手段に送信するように制御するものである。この構成においては、上記請求項３に記載の作用を的確に得ることができる。
【００１４】
【発明の実施の形態】
以下、本発明を具体化した実施形態について図面を参照して説明する。図１は、本実施形態によるＤＶＤプレイヤ（光ディスク再生装置）の電気的ブロック構成を示す。このＤＶＤプレイヤ１は、ＤＶＤ（Ｄｉｇｉｔａｌ  Ｖｅｒｓａｔｉｌｅ  Ｄｉｓｃ）２に記録されている映像、音声等の圧縮データを読み取って映像、音声等を再生し、再生した映像、音声等を出力する装置であり、ＤＴＳ（Ｄｉｇｉｔａｌ  Ｔｈｅａｔｅｒ  Ｓｙｓｔｅｍ）音声の再生用のデコーダを有さないタイプのものである。
【００１５】
上記のＤＶＤプレイヤ１は、トレイに装着されたＤＶＤ２を回転駆動するスピンドルモータ３、ＤＶＤ２に記録されている情報をＲＦ信号の形式で出力する光ピックアップ４（光ディスクデータ読取手段）、光ピックアップ４から出力されたＲＦ信号の２値化処理等を行うＲＦ回路５、及びＲＦ回路５による処理後のデータに対してデータ復調や誤り訂正等のデコード処理を施すデータデコーダ６を備えている。また、ＤＶＤプレイヤ１は、データデコーダ６でデコード処理が施されたデータを主映像圧縮データ、副映像圧縮データ、及び各種の音声圧縮データに振り分けるデマルチプレクサ７、主映像圧縮データを復号するビデオデコーダ８（映像再生手段）、副映像圧縮データを復号して字幕等を再生するサブピクチャデコーダ９、各種の音声圧縮データを復号するオーディオデコーダ１０（音声再生手段）を備えている。
【００１６】
図中の加算器１１は、ビデオデコーダ８から送られた主映像とサブピクチャデコーダ９から送られた字幕等の副映像とを合成し、また、Ｄ／Ａ変換処理部１２は、加算器１１により合成された映像データや、オーディオデコーダ１０により復号された音声データをアナログ信号に変換する。また、ビデオ出力端子１３とオーディオ出力端子１４とは、それぞれＤ／Ａ変換処理部１２から送られた映像信号と音声信号とを出力する。これらの出力端子１３、１４は、請求項における出力手段に相当する。
【００１７】
また、ＤＶＤプレイヤ１は、装置全体の制御を行う制御部２０（制御手段）、及び装置本体に対して再生・停止等の指示や各種の設定を行うためのリモコン３０を有している。制御部２０には、上記のスピンドルモータ３、ＲＦ回路５、データデコーダ６、デマルチプレクサ７、ビデオデコーダ８、サブピクチャデコーダ９、オーディオデコーダ１０及び加算器１１に加えて、各種の設定データ等を格納したＲＡＭ２１（記憶手段）、装置に各種の指示を与えるための操作部２２、各種のメッセージを表示する表示部２３、レジューム情報等のデータを一時的に記憶するバッファ２４、及びリモコン３０から送信された赤外線信号を受信する赤外線信号受信部２５が接続されている。
【００１８】
上記のＲＡＭ２１には、主映像圧縮データ、副映像圧縮データ、及び各種の音声圧縮データに関する識別情報のテーブルが記憶されている。このうち、音声圧縮データに関する識別情報は、図２に示されるように、ストリームＩＤとサブストリームＩＤの上位５ビットから構成されており、このテーブルの中には、ＬＰＣＭ（Ｌｉｎｅａｒ  Ｐｕｌｓｅ  Ｃｏｄｅ  Ｍｏｄｕｌａｔｉｏｎ）、ドルビーディジタル、ＭＰＥＧ（Ｍｏｖｉｎｇ  Ｐｉｃｔｕｒｅ  Ｃｏｄｉｎｇ  Ｅｘｐｅｒｔｓ  Ｇｒｏｕｐ）オーディオの識別情報に加えて、ＤＴＳ（Ｄｉｇｉｔａｌ  Ｔｈｅａｔｅｒ  Ｓｙｓｔｅｍ）の識別情報も格納されている。上記の制御部２０は、ユーザにより再生が指示されると、ＲＡＭ２１からこのテーブル内の識別情報を読み込んでデマルチプレクサ７に伝達すると共に、所定の条件に基づいて選択した特定の種類の音声圧縮データに関する識別情報をデマルチプレクサ７に伝達する。デマルチプレクサ７は、これらの識別情報に基づいて、データデコーダ６から送られた圧縮データを、主映像圧縮データ、副映像圧縮データ、音声圧縮データに振り分けると共に、音声圧縮データの中から上記特定の種類の識別情報を持つ音声圧縮データを抽出する。そして、振り分けた主映像圧縮データと副映像圧縮データとをそれぞれビデオデコーダ８とサブピクチャデコーダ９とに送信し、また、抽出した音声圧縮データをオーディオデコーダ１０に送信する。
【００１９】
図３は、上記図１中のオーディオデコーダ１０の詳細構成を示す。オーディオデコーダ１０は、デマルチプレクサ７から送られた音声圧縮データに含まれる付加データを用いてオーディオデコーダ１０の全体的な動作の制御を行うデコーディング制御部４１、デマルチプレクサ７から送られた音声圧縮データを一時的に格納する入力バッファ４２、入力バッファ４２から送られた音声圧縮データに基づいて音声を再生するオーディオデコーダ中核部４３、及びＤ／Ａ変換処理部１２に出力するディジタル形式の音声データを一時的に格納する出力バッファ４７から構成されている。また、オーディオデコーダ中核部４３は、ＬＰＣＭ音声用のデコーダ４４、ドルビーディジタル音声用のデコーダ４５、及びＭＰＥＧオーディオ用のデコーダ４６を有しており、デマルチプレクサ７から送られた音声圧縮データに含まれるストリームＩＤ（図４中の５６参照）とサブストリームＩＤ（図４中の５３参照）の上位５ビットを参照して、該当の音声圧縮データの種類を判別し、判別した圧縮データの種類に応じて使用する音声デコーダを選択する。そして、選択した音声デコーダを用いて入力バッファ４２から送られた音声圧縮データの伸張と復号を行う。
【００２０】
次に、上記の音声圧縮データにおけるストリームＩＤとサブストリームＩＤについて図４を参照して説明する。図４は、ＤＶＤ２におけるオーディオパックの記録状態を示す。データデコーダ６からデマルチプレクサ７に送られる音声圧縮データは、このオーディオパック５０を複数個結合して構成したものであるか、又は１つのオーディオパック５０で構成したものである。図に示されるように、オーディオパック５０は、パックヘッダ５１、パケットヘッダ５２、サブストリームＩＤ５３、オーディオデータ５４等より成る。パックヘッダ５１内には、パックスタートコード、システム時刻基準参照値等が含まれており、また、パケットヘッダ５２内には、図に示されるように、パケットスタートコード５５、ストリームＩＤ５６等が含まれている。データデコーダ６からデマルチプレクサ７に送られる音声圧縮データの中には、上記のストリームＩＤ５６とサブストリームＩＤ５３とが含まれており、デマルチプレクサ７は、このストリームＩＤ５６とサブストリームＩＤ５３の上位５ビットを参照して、音声圧縮データの中から特定の種類の音声圧縮データを抽出し、抽出した音声圧縮データをオーディオデコーダ１０に送信する。
【００２１】
次に、上記図１乃至図４に加えて図５のフローチャートを参照して、レジューム機能がオンの状態で再生処理を再開した場合に本ＤＶＤプレイヤ１が行う処理について説明する。ここで、レジューム機能とは、前回に再生処理を停止した時点において再生中であった主映像、副映像、音声に関する停止位置（レジュームポイント）等のレジューム情報をバッファ２４（図１参照）に記録しておいて、再生処理を再開した場合に、バッファ２４に記録されたレジュームポイントから主映像、副映像、音声の再生処理を再開する機能である。レジューム機能がオンの状態において、ユーザがリモコン３０等により再生処理を停止すると（Ｓ１）、制御部２０は、停止時点において再生中であった音声圧縮データに含まれるストリームＩＤ５６とサブストリームＩＤ５３の上位５ビットをバッファ２４内のレジューム情報から読み込んで、このストリームＩＤ５６とサブストリームＩＤ５３の上位５ビットをＲＡＭ２１に記憶する（Ｓ２）。本ＤＶＤプレイヤ１のようなＤＴＳデコーダを有さない光ディスク再生装置では、電源投入後の最初の再生処理においてＤＴＳ音声の圧縮データが再生されることはないので、制御部２０は、最初の再生処理の停止時に、ＤＴＳ音声以外の種類の音声圧縮データに対応したストリームＩＤ５６とサブストリームＩＤ５３の上位５ビットとをＲＡＭ２１に記憶する。
【００２２】
上記Ｓ２に示される処理の後、制御部２０は、バッファ２４内のレジューム情報に含まれるレジュームポイントを読み込んで、このレジュームポイントを再生再開時における光ピックアップ４の読取開始位置に設定した後、レジューム情報をバッファ２４内から消去して、レジューム機能がオフの状態に移行する（Ｓ３）。そして、上記の読取開始位置から光ピックアップ４によるＤＶＤ２内の情報の読み取りと情報の再生処理を再開する（Ｓ４）。
【００２３】
上記の再生処理の再開後は、制御部２０は、データデコーダ６から出力された音声圧縮データの中に、上記Ｓ２の処理でＲＡＭ２１に記憶したストリームＩＤ５６と同じストリームＩＤ５６を有する音声圧縮データが存在するか否かをチェックする（Ｓ５）。そして、同じストリームＩＤ５６を有する音声圧縮データが存在する場合には（Ｓ５でＹＥＳ）、データデコーダ６から出力された音声圧縮データの中に、サブストリームＩＤ５３の上位５ビットが上記Ｓ２の処理でＲＡＭ２１に記憶したサブストリームＩＤ５３の上位５ビットと同じ音声圧縮データが存在するか否かをチェックする（Ｓ６）。この結果、サブストリームＩＤ５３の上位５ビットが同じ音声圧縮データが存在する場合には（Ｓ６でＹＥＳ）、制御部２０は、上記Ｓ２の処理でＲＡＭ２１に記憶したストリームＩＤ５６とサブストリームＩＤ５３の上位５ビットをデマルチプレクサ７に送信して、デマルチプレクサ７が送信されたストリームＩＤ５６とサブストリームＩＤ５３の上位５ビットとを有する音声圧縮データを抽出するように制御する（Ｓ７）。上記Ｓ２の処理でＲＡＭ２１に記憶したストリームＩＤ５６とサブストリームＩＤ５３の上位５ビットとは、ＤＴＳ音声以外の種類の音声圧縮データに対応した識別情報であるので、上記Ｓ７に示されるように、デマルチプレクサ７がこの識別情報と同じ識別情報を有する音声圧縮データを抽出するように制御する方法により、オーディオデコーダ１０にＤＴＳ音声の圧縮データが送信されないようにすることができる。これにより、出力端子１４から音声が出力されない状態になることを防ぐことができる。
【００２４】
上記Ｓ６におけるチェックの結果、サブストリームＩＤ５３の上位５ビットが同じ音声圧縮データが存在しない場合には（Ｓ６でＮＯ）、制御部２０は、上記Ｓ２の処理でＲＡＭ２１に記憶したストリームＩＤ５６をデマルチプレクサ７に送信して、デマルチプレクサ７が送信されたストリームＩＤ５６と同じストリームＩＤ５６を有する音声圧縮データを抽出するように制御する（Ｓ８）。
【００２５】
また、上記Ｓ５におけるチェックの結果、同じストリームＩＤ５６を有する音声圧縮データが存在しない場合にも（Ｓ５でＮＯ）、データデコーダ６から出力された音声圧縮データの中に、サブストリームＩＤ５３の上位５ビットが上記Ｓ２の処理でＲＡＭ２１に記憶したサブストリームＩＤ５３の上位５ビットと同じ音声圧縮データが存在するか否かをチェックする（Ｓ９）。この結果、サブストリームＩＤ５３の上位５ビットが同じ音声圧縮データが存在する場合には（Ｓ９でＹＥＳ）、制御部２０は、上記Ｓ２の処理でＲＡＭ２１に記憶したサブストリームＩＤ５３の上位５ビットをデマルチプレクサ７に送信して、デマルチプレクサ７が送信されたサブストリームＩＤ５３の上位５ビットと同じコードを有する音声圧縮データを抽出するように制御する（Ｓ１０）。
【００２６】
上記Ｓ９におけるチェックの結果、サブストリームＩＤ５３の上位５ビットが同じ音声圧縮データが存在しない場合には（Ｓ９でＮＯ）、制御部２０は、データデコーダ６から出力された音声圧縮データの中に、初期設定時にＲＡＭ２１に記憶した優先言語の識別情報と同じ識別情報を有する音声圧縮データが存在するか否かをチェックする（Ｓ１１）。この結果、同じ識別情報を有する音声圧縮データが存在する場合には（Ｓ１１でＹＥＳ）、制御部２０は、この音声圧縮データのストリームＩＤ５６とサブストリームＩＤ５３の上位５ビットとをデマルチプレクサ７に送信して、デマルチプレクサ７が送信されたストリームＩＤ５６とサブストリームＩＤ５３の上位５ビットとを有する音声圧縮データを抽出するように制御する（Ｓ１２）。
【００２７】
上記Ｓ１１におけるチェックの結果、同じ優先言語の識別情報を有する音声圧縮データが存在しない場合には（Ｓ１１でＮＯ）、制御部２０は、先頭のオーディオストリームのストリームＩＤ５６とサブストリームＩＤ５３の上位５ビットとをデマルチプレクサ７に送信して、デマルチプレクサ７が送信されたストリームＩＤ５６とサブストリームＩＤ５３の上位５ビットとを有する音声圧縮データを抽出するように制御する（Ｓ１３）。
【００２８】
次に、制御部２０は、上記Ｓ５乃至Ｓ１３の処理で抽出した音声圧縮データをオーディオデコーダ１０に送り、オーディオデコーダ１０により再生した音声データと加算器１１から出力された映像データとをＤ／Ａ変換処理部１２に出力する（Ｓ１４）。Ｄ／Ａ変換処理部１２は、これらのデータに基づき映像と音声のアナログ信号を生成して、出力端子１３と出力端子１４とに出力する。
【００２９】
上記のように、制御部２０が、直前に再生していた音声と同じ種類である可能性の高い音声をオーディオデコーダ１０に送信するようにしたことにより、なるべくオーディオデコーダ１０にＤＴＳ音声の圧縮データが送信されないようにすることができる。これにより、出力端子１４から音声が出力されない状態になる可能性を低くすることができる。
【００３０】
次に、レジューム機能がオフの状態で再生処理を再開した場合に、本ＤＶＤプレイヤ１が行う処理について説明する。レジューム機能がオフの場合では、図５に示されるレジューム機能がオンの場合と異なり、再生処理の停止時に、停止時点において再生中であった音声圧縮データに含まれるストリームＩＤ５６とサブストリームＩＤ５３の上位５ビットとがバッファ２４に記憶されることはない。このため、再生処理の停止後に、停止時点において再生中であった音声圧縮データの種類を知ることができないので、レジューム機能がオンの状態の場合と異なり、直前に再生していた音声と同じ種類の音声をオーディオデコーダ１０に送信することができない。従って、制御部２０は、レジューム機能がオフの場合には、データデコーダ６からデマルチプレクサ７に送られた音声圧縮データの中からＤＴＳ音声以外の音声圧縮データを抽出してオーディオデコーダ１０に送信する方法により、オーディオデコーダ１０にＤＴＳ音声の圧縮データが送信されないようにしている。
【００３１】
次に、上記図１乃至図４に加えて図６のフローチャートを参照して、レジューム機能がオフの状態で再生処理を再開した場合における処理について具体的に説明する。レジューム機能がオンの状態において、ユーザがリモコン３０等により再生処理を停止すると（Ｓ２１）、制御部２０は、上記図２に示されるような音声圧縮データに関する識別情報のテーブルをＲＡＭ２１から読み込んだ後に、ＤＶＤ２内の情報の読み取りと情報の再生処理を再開する（Ｓ２２）。そして、ＤＶＤ２に記憶された主映像、副映像、音声等の圧縮データを光ピックアップ４により先頭のデータから順に読み取って、読み取った音声圧縮データに含まれるストリームＩＤ５６とサブストリームＩＤ５３の上位５ビットとが上記の識別情報のテーブルに含まれるＤＴＳ音声のコードと同じであるか否かをチェックする（Ｓ２３）。
【００３２】
上記Ｓ２３におけるチェックの結果、同じである場合には（Ｓ２３でＹＥＳ）、制御部２０は、次の音声圧縮データを検索して（Ｓ２４）、次の音声圧縮データに対して再度上記Ｓ２３のチェックを行う。これに対して、同じでない場合には（Ｓ２３でＮＯ）、制御部２０は、音声圧縮データの中に、初期設定時にＲＡＭ２１に記憶した優先言語の識別情報と同じ識別情報を有する音声圧縮データが存在するか否かをチェックする（Ｓ２５）。この結果、同じ識別情報を有する音声圧縮データが存在する場合には（Ｓ２５でＹＥＳ）、制御部２０は、この音声圧縮データのストリームＩＤ５６とサブストリームＩＤ５３の上位５ビットとをデマルチプレクサ７に送信して（Ｓ２６）、デマルチプレクサ７が送信されたストリームＩＤ５６とサブストリームＩＤ５３の上位５ビットとを有する音声圧縮データを抽出するように制御する（Ｓ２８）。
【００３３】
上記Ｓ２５におけるチェックの結果、同じ優先言語の識別情報を有する音声圧縮データが存在しない場合には（Ｓ２５でＮＯ）、制御部２０は、先頭のオーディオストリームのストリームＩＤ５６とサブストリームＩＤ５３の上位５ビットとをデマルチプレクサ７に送信して（Ｓ２７）、デマルチプレクサ７が送信されたストリームＩＤ５６とサブストリームＩＤ５３の上位５ビットとを有する音声圧縮データを抽出するように制御する（Ｓ２８）。
【００３４】
次に、制御部２０は、上記Ｓ２３乃至Ｓ２７の処理で抽出した音声圧縮データをオーディオデコーダ１０に送り、オーディオデコーダ１０により再生した音声データと加算器１１から出力された映像データとをＤ／Ａ変換処理部１２に出力する（Ｓ２９）。Ｄ／Ａ変換処理部１２は、これらのデータに基づき映像と音声のアナログ信号を生成して、出力端子１３と出力端子１４とに出力する。
【００３５】
上述したように、本実施形態によるＤＶＤプレイヤ１によれば、制御部２０は、再生処理の再開時に、デマルチプレクサ７が、光ピックアップ４により読み取った音声の圧縮データの中からＤＴＳ音声以外の種類の音声圧縮データを抽出してオーディオデコーダ１０に送信するように制御する。これにより、オーディオデコーダ１０にＤＴＳ音声の圧縮データが送信されないようにすることができるので、出力端子１４から音声が出力されない状態になることを防ぐことができる。
【００３６】
なお、本発明は、上記実施形態に限られるものではなく、様々な変形が可能である。例えば、本実施形態では、ＤＴＳ音声再生用デコーダを有さないタイプのＤＶＤプレイヤ１に本発明を適用した場合の例を示したが、ＤＴＳ音声再生用デコーダを有してはいても、ＤＴＳデコーダに関するライセンス上の理由からＤＴＳ音声を出力しないようにしたＤＶＤプレイヤに本発明を適用してもよい。また、上記実施形態では、オーディオパック５０に含まれるストリームＩＤ５６とサブストリームＩＤ５３の上位５ビットとに基づいて、ＤＴＳ音声の圧縮データとそれ以外の音声の圧縮データとを判別したが、音声圧縮データに含まれる他の識別情報に基づいて音声の圧縮データの種類を判別してもよい。
【００３７】
【発明の効果】
以上説明したように請求項１の発明によれば、最初の再生処理の停止時に、ＤＴＳ音声以外の種類の音声に対応した音声識別情報を記憶手段に記憶しておいて、再生処理の再開時に、デマルチプレクサが、光ディスクデータ読取手段により読み取られた音声の圧縮データの中から、記憶手段に記憶された音声識別情報に対応したＤＴＳ音声以外の種類の音声圧縮データを抽出して音声再生手段に送信するようにした。これにより、音声再生手段にＤＴＳ音声の圧縮データが送信されないようにすることができるので、音声が出力されない状態になることを防ぐことができる。
【００３８】
また、請求項２の発明によれば、音声識別情報がストリームＩＤの全体とサブストリームＩＤの一部からなるものとしたことにより、上記請求項１に記載の効果を的確に得ることができる。
【００３９】
また、請求項３の発明によれば、再生処理の再開時に、音声再生手段にＤＴＳ音声の圧縮データが送信されないように制御するようにしたことにより、上記請求項１に記載の効果と同等の効果を得ることができる。
【００４０】
また、請求項４の発明によれば、再生処理の再開時に、光ディスクデータ読取手段により読み取られた音声の圧縮データの中から、前回の再生時に再生していた音声と同じ種類の音声の圧縮データを抽出して音声再生手段に送信するように制御するようにしたことにより、上記請求項３に記載の効果を的確に得ることができる。
【図面の簡単な説明】
【図１】本発明の一実施形態に係る光ディスク再生装置の電気的ブロック構成図。
【図２】上記再生装置のＲＡＭに格納された音声圧縮データに関する識別情報の内容を示す図。
【図３】上記再生装置のオーディオデコーダの詳細構成を示す図。
【図４】上記再生装置の読取対象となるＤＶＤにおけるオーディオパックの記録状態を示す図。
【図５】レジューム機能がオンの状態で再生処理を再開した場合における上記再生装置の処理を示すフローチャート。
【図６】レジューム機能がオフの状態で再生処理を再開した場合における上記再生装置の処理を示すフローチャート。
【符号の説明】
１      ＤＶＤプレイヤ（光ディスク再生装置）
４      光ピックアップ（光ディスクデータ読取手段）
７      デマルチプレクサ
８      ビデオデコーダ（映像再生手段）
１０    オーディオデコーダ（音声再生手段）
１３    ビデオ出力端子（出力手段）
１４    オーディオ出力端子（出力手段）
２０    制御部（制御手段）
２１    ＲＡＭ（記憶手段）
４４    ＬＰＣＭ音声用デコーダ（音声デコーダ）
４５    ドルビーディジタル音声用デコーダ（音声デコーダ）
４６    ＭＰＥＧオーディオ用デコーダ（音声デコーダ）
５３    サブストリームＩＤ（音声識別情報）
５６    ストリームＩＤ（音声識別情報）
【図１】
2004220693.tif 000003
【図２】
2004220693.tif 000004
【図３】
2004220693.tif 000005
【図４】
2004220693.tif 000006
【図５】
2004220693.tif 000007
【図６】
2004220693.tif 000008